(57)【要約】      （修正有）【課題】線状体と装飾体の保持具とが分断されてしまうことを回避でき、壊れにくい装身具を提供する。【解決手段】保持具には、両端に第１の被挿入部３１と第２の被挿入部３３とが設けられている。第１の被挿入部３１には、線状体１１の一端部が挿入されて、内側から溶接により固定されている。第２の被挿入部３３には、線状体１１の他端部が挿入されて、内側から溶接により固定されている。これにより、線状体１１と装飾体１３とがリング状に形成さている。【選択図】図５
0003229443.tif 000002
【実用新案登録請求の範囲】
【請求項１】
伸縮可能な線状体と、
装飾体と、
前記装飾体に設けられ、前記線状体の一端部が挿入されている第１の被挿入部と、
前記装飾体に設けられ、前記線状体の他端部が挿入されている第２の被挿入部と、
を有し、
前記第１の被挿入部と前記第２の被挿入部とに、前記一端部と前記他端部とがそれぞれ溶接によって固定されており、
前記線状体と前記装飾体とによってリング状に形成さている
身飾品。
【請求項２】
前記第１の被挿入部は、その挿入口から所定の距離隔てた位置に、前記一端部に当接して止める第１の係止部を有し、
前記第２の被挿入部は、その挿入口から所定の距離隔てた位置に、前記他端部に当接して止める第２の係止部を有する
請求項１に記載の身飾品。
【請求項３】
前記線状体の両端の外周と、前記第１の被挿入部及び前記第２の被挿入部の内周は円周であり、
前記線状体の両端の外周と、前記第１の被挿入部及び前記第２の被挿入部の内周とがそれぞれ溶接により接合されている
請求項２に記載の身飾品。
【請求項４】
前記線状体は、
両端が中央に比べて内径が小さい第１の中空部材と、
両端が中央に比べて外径が大きい第２の中空部材と、
前記第１の中空部材及び前記第２の中空部材内に位置する伸縮部材と
を有し、
前記第２の中空部の両端が前記第１の中空部材内に位置し、
前記第１の中空部材と前記第２の中空部材とはリング状を形成するよう交互に繰り返して連結されている
請求項１〜３のいずれかに記載の身飾品。
【請求項５】
前記伸縮部材は、
外力が加えられていない状態で、前記第２の中空部の両端と前記第１の中空部材の両端とが一定距離を隔てて位置しており、
外力が加えられた状態で、前記第２の中空部材の両端が、前記第１の中空部材内で当該第１の中空部材の両端と当接して係止するまで伸張可能である
請求項４に記載の身飾品。
【請求項６】
前記装飾体は、装飾体本体と、当該装飾体本体を保持する保持具とを有し、
前記第１の被挿入部と前記第２の被挿入部とが前記保持具に設けられており、
前記線状体及び前記保持具は金属製である
請求項１〜５のいずれかに記載の身飾品。
【考案の詳細な説明】
【技術分野】
【０００１】
本考案は、ブレスレッドなどの身飾品に関するものである。
【背景技術】
【０００２】
ブレスレッドは、例えば金属製のリング状の線状体と、装飾体を保持した保持具から構成される。
ここで、線状体と保持具が金属である場合に、線状状の端部を保持具の表面に溶接して固定している。
【考案の概要】
【考案が解決しようとする課題】
【０００３】
しかしながら、線状状の端部を保持具の表面に溶接する固定方法では、溶接部の耐性が弱く、負荷が加わることで、分離してしまうことがある。
【０００４】
本考案はかかる事情に鑑みてなされたものであり、その目的は、線状体と装飾体の保持具とが分断されてしまうことを回避でき、壊れにくい装身具を提供することを目的とする。
【課題を解決するための手段】
【０００５】
上述した従来技術の問題点を解決し、上述した目的を達成するために、本考案の身飾品は、伸縮可能な線状体と、装飾体と、前記装飾体に設けられ、前記線状体の一端部が挿入されている第１の被挿入部と、前記装飾体に設けられ、前記線状体の他端部が挿入されている第２の被挿入部と、を有し、前記第１の被挿入部と前記第２の被挿入部とに、前記一端部と前記他端部とがそれぞれ溶接によって固定されており、前記線状体と前記装飾体とによってリング状に形成さている。
【０００６】
好適には、前記第１の被挿入部は、その挿入口から所定の距離隔てた位置に、前記一端部に当接して止める第１の係止部を有し、前記第２の被挿入部は、その挿入口から所定の距離隔てた位置に、前記他端部に当接して止める第２の係止部を有する。
【０００７】
好適には、前記線状体の両端の外周と、前記第１の被挿入部及び前記第２の被挿入部の内周は円周であり、前記線状体の両端の外周と、前記第１の被挿入部及び前記第２の被挿入部の内周とがそれぞれ溶接により接合されている。
【０００８】
好適には、前記線状体は、両端が中央に比べて内径が小さい第１の中空部材と、両端が中央に比べて外径が大きい第２の中空部材と、前記第１の中空部材及び前記第２の中空部材内に位置する伸縮部材とを有し、前記第２の中空部の両端が前記第１の中空部材内に位置し、前記第１の中空部材と前記第２の中空部材とはリング状を形成するよう交互に繰り返して連結されている。
【０００９】
好適には、前記伸縮部材は、外力が加えられていない状態で、前記第２の中空部の両端と前記第１の中空部材の両端とが一定距離を隔てて位置しており、外力が加えられた状態で、前記第２の中空部材の両端が、前記第１の中空部材内で当該第１の中空部材の両端と当接して係止するまで伸張可能である。
【００１０】
好適には、前記装飾体は、装飾体本体と、当該装飾体本体を保持する保持具とを有し、前記第１の被挿入部と前記第２の被挿入部とが前記保持具に設けられており、前記線状体及び前記保持具は金属製である。
【考案の効果】
【００１１】
本考案によれば、線状体と装飾体の保持具とが分断されてしまうことを回避でき、壊れにくい装身具を提供することができる。
【図面の簡単な説明】
【００１２】
【図１】図１は、本考案の実施形態に係る身飾品１の斜視図である。
【図２】図２は、図１に示す線状体を伸ばした状態の部分拡大図である。
【図３】図３は、線状体の一対の第１の被挿入部と第２の被挿入部の係合状態を説明するための図である。
【図４】図４は、図３に示す矢印Ａの側から見た斜視図である。
【図５】図５は、図１に示す身飾品の線状体と保持具とを離脱した状態を説明するための図である。
【図６】図６は、図１に示す身飾品の部分拡大図である。
【図７】図７は、図１に示す第の被挿入部の部分拡大図である。
【図８】図８は、線状体の部分断面図である。
【考案を実施するための形態】
【００１３】
以下、本考案の実施形態に係る身飾品について説明する。
図１は、本考案の実施形態に係る身飾品１の斜視図である。図２は、図１に示す線状体を伸ばした状態の部分拡大図である。図３は、線状体の一対の第１の被挿入部と第２の被挿入部の係合状態を説明するための図である。図４は、図３に示す矢印Ａの側から見た斜視図である。図５は、図１に示す身飾品１の線状体と保持具とを離脱した状態を説明するための図である。図６は、図１に示す身飾品１の部分拡大図である。図７は、図１に示す第１の被挿入部の部分拡大図である。図８は、線状体１１の部分断面図である。
【００１４】
身飾品１は、使用時の付け外しの際の開環及び閉環機能を有する留め具不要としたブレスレットである。
身飾品１は、例えば金属製である。
【００１５】
図１に示すように、身飾品１は、例えば、伸縮可能な線状体１１と、装飾体１３とを有する。
装飾体１３は、装飾体本体２１と、当該装飾体本体２１を保持する保持具２３とを有する。装飾体本体２１は、例えばダイヤモンド等の装飾美を発揮するものであり、特に形状は限定されない。
【００１６】
保持具２３には、両端に第１の被挿入部３１と第２の被挿入部３３とが設けられている。
第１の被挿入部３１には、線状体１１の一端部が挿入されて、内側から溶接により固定されている。
第２の被挿入部３３には、線状体１１の他端部が挿入されて、内側から溶接により固定されている。
これにより、線状体１１と装飾体１３とがリング状に形成さている。
【００１７】
身飾品１では、保持具２３と線状体１１とを、上述したように、第１の被挿入部３１及び第２の被挿入部３３内で線状体１１の端部を溶接するように構成したことで、線状状の端部を保持具の表面に溶接する従来の固定構造に比べて、結合部の耐性が強く、負荷が加わっても分離することはない。
【００１８】
第１の被挿入部３１は、その挿入口から所定の距離隔てた位置に、線状体１１の一端部に当接して止める第１の係止部７１を有する。
第２の被挿入部３３は、その挿入口から所定の距離隔てた位置に、線状体１１の他端部に当接して止める第２の係止部７３を有する。
【００１９】
線状体１１の両端の外周と、第１の被挿入部３１及び第２の被挿入部３３の内周とは
がそれぞれ溶接により接合されている。
【００２０】
線状体１１は、複数の第１の中空部材５１と第２の中空部材５３とをリング状に形成するよう交互に繰り返して連結して構成されている。
図８に示すように、第１の中空部材５１は、両端が中央に比べて内径が小さい略筒型形状をしている。
第２の中空部材５３は、両端が中央に比べて外径が大きい略筒型形状をしている。
第２の中空部材５３の両端が隣接する第１の中空部材５１内に位置する。
第１の中空部材５１と第２の中空部材５３とはリング状を形成するよう交互に繰り返して連結されている。
【００２１】
また、第１の中空部材５１と第２の中空部材５３内には、一本の伸縮部材６１が位置している。
【００２２】
伸縮部材６１は、外力が加えられていない状態で、第２の中空部５３の両端と第１の中空部材５１の両端とが一定距離を隔てて位置している。
一方、伸縮部材６１は、ユーザが手を通すために線状体１１の開口部を広げる向きに外力を加えられると、第２の中空部５３の両端と第１の中空部材５１の両端とが近接する方向に移動する。そして、伸縮部材６１は、図８に示すように、最大、第２の中空部材５３の両端が、第１の中空部材５１内で第１の中空部材５１の両端と当接して係止するまで伸張可能である。
すなわち、第１の中空部材５１と第２の中空部材５３との相対的な位置は外力によって変化するが、第１の中空部材５１と第２の中空部材５３とは連結して外れない構造になっている。
【００２３】
このように、身飾品１は、全体として緩やかな可撓性を有し、付け外しの際に線状体１１の形状が変化する。線状体１１は、装着時の場合に比べて、約１．４〜１．８倍程度に伸長できる。このため、掌等を通す際には伸長させることが可能であり、手首付近等に装着する際には復帰させることが可能である。
【００２４】
以下、身飾品１の使用方法について説明する。
ユーザは、身飾品１を手首に装着する際に、線状体１１にその開口部を広げる方向に力を加え開口部を手が通る内径まで広げた状態で手を通す。
そして、力を解除し、線状体１１の開口部を元の内径に戻す。これより、手首から身飾品１が外れないようにできる。
【００２５】
以上説明したように、身飾品１によれば、装飾体１３の保持具２３と線状体１１とを、装飾体１３の第１の被挿入部３１及び第２の被挿入部３３内で線状体１１の端部を内側から溶接するように構成したことで、線状状の端部を保持具の表面に溶接する従来の固定構造に比べて、結合部の耐性が強く、負荷が加わっても分離することはない。
また、身飾品１によれば、留め具がなくても、手首に容易に着脱でき、且つ簡単な構成にできる。
【００２６】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２７】
例えば、身飾品１の形状は一例であり、考案の範囲内において改変可能である。
また、本考案は、線状体１１の全体を金属製にした場合を例示したが、両端のみを金属し、その間をシリコン製の部材にしてもよい。
【産業上の利用可能性】
【００２８】
本考案は、ブレスレッド等の身飾品に適用可能である。
【符号の説明】
【００２９】
１…身飾品
１１…線状体
１３…装飾体
２１…装飾体本体
５１…第１の中空部材
３１…第１の被挿入部
３３…第２の被挿入部
５３…第２の中空部材
７１…第１の係止部
７３…第２の係止部
【図１】
0003229443.tif 000003
【図２】
0003229443.tif 000004
【図３】
0003229443.tif 000005
【図４】
0003229443.tif 000006
【図５】
0003229443.tif 000007
【図６】
0003229443.tif 000008
【図７】
0003229443.tif 000009
【図８】
0003229443.tif 000010